(57)【特許請求の範囲】
【請求項１】
ボイスコイルと、このボイスコイルが配置されるギャップを有する磁気回路と、この磁気回路を収納・保持する磁気回路カバーと、内周部が前記ボイスコイルに連結されて該ボイスコイルへの通電時に駆動される振動板と、前記磁気回路カバーと連結されて前記振動板の背面側を包囲し該振動板の外周部を支持するフレームと、前記振動板の内周部を支持するダンパとを備えたスピーカにおいて、
前記磁気回路カバーと前記フレームとの接合部近傍に開口部を設け、この開口部と前記振動板の背面側空間とを連通させたことを特徴とするスピーカ。
【請求項２】
請求項１の記載において、前記磁気回路カバーに前記フレームの内側で前記ダンパの外周部を支持する大径部を突設し、この大径部と前記フレームの内壁面との間を前記開口部に連通する空気流通路となしたことを特徴とするスピーカ。
【発明の詳細な説明】
【０００１】
【発明の属する技術分野】
本発明は車載用スピーカ等のダイナミック型のスピーカに係り、特に、小型の磁気回路を採用した軽量化スピーカの放熱構造に関する。
【０００２】
【従来の技術】
車載用スピーカなどにおいては、軽量化を図るために樹脂フレームを採用することが多いが、近年、さらなる軽量化を促進するために小型の磁気回路を採用したスピーカが普及しつつある。
【０００３】
すなわち、マグネットとヨークを組み合わせて構成される磁気回路は、大型のものではかなりの重量物になってしまうので、この磁気回路を小型化するとスピーカ全体の重量が大幅に低減する。また、磁気回路が小さいと、磁気回路を収納・保持するアルミニウム等の非磁性材からなる磁気回路カバーも小さくできるので、スピーカの軽量化を促進するうえで極めて有利となる。
【０００４】
【発明が解決しようとする課題】
ところで、前述したように、小型の磁気回路を採用して軽量化を図ったスピーカでは、磁気回路および磁気回路カバーの表面積が大幅に減少している。そのため、かかる従来の軽量化スピーカは、通電時にボイスコイルで発生して磁気回路へ伝わる熱が外部へ放出されにくく、スピーカの内部の温度が不所望に上昇しやすいという問題点があった。
【０００５】
【課題を解決するための手段】
本発明は、振動板の振動時に発生する背圧を利用して、磁気回路カバーとフレームとの間を通ってスピーカの内外で空気が円滑に流通できるようにした。このようにすると、通電時には振動板の背圧により、スピーカの内外の空気が磁気回路カバーの外表面に沿ってよどみなく移動するので、この空気の流れが磁気回路から磁気回路カバーへと伝導される熱を次々と奪い取っていく。したがって、小型の磁気回路を採用しても、かかる空冷作用により放熱効果を高めることができ、スピーカの軽量化促進と温度上昇抑制とを両立させることが可能となる。
【０００６】
【発明の実施の形態】
本発明のスピーカでは、ボイスコイルと、このボイスコイルが配置されるギャップを有する磁気回路と、この磁気回路を収納・保持する磁気回路カバーと、内周部が前記ボイスコイルに連結されて該ボイスコイルへの通電時に駆動される振動板と、前記磁気回路カバーと連結されて前記振動板の背面側を包囲し該振動板の外周部を支持するフレームと、前記振動板の内周部を支持するダンパとを備えたスピーカにおいて、前記磁気回路カバーと前記フレームとの接合部近傍に開口部を設け、この開口部と前記振動板の背面側空間とを連通させる構成とした。
【０００７】
このように構成されるスピーカは、通電時に振動板が振動すると、その背面側空間に振動板の背圧が作用し、前記開口部を介してスピーカの内外の空気の流通が盛んに行われるので、磁気回路カバーの外表面は通電時に常に新鮮な空気にさらされることとなる。それゆえ、通電時にボイスコイルで発生し磁気回路を介して磁気回路カバーへ伝わる熱が、前記開口部を介して出入りする空気の空冷作用を受けて放出されやすくなり、高い放熱効果が期待できる。
【０００８】
上記構成において、磁気回路カバーにフレームの内側でダンパの外周部を支持する大径部を突設し、この大径部とフレームの内壁面との間を前記開口部に連通する空気流通路となせば、この空気流通路が所謂オリフィスとして作用し、開口部と振動板の背面側空間との間で極めて円滑に空気を流通させることができると共に、磁気回路カバーの大径部が放熱部位となって放熱面積が増えるので、放熱効果をより一層高めることができる。
【０００９】
【実施例】
実施例について図面を参照して説明すると、図１は本発明の一実施例に係るスピーカの背面図、図２は図１のＡ−Ｏ−Ｂ線に沿う断面図である。
【００１０】
図１，２に示すスピーカは、小型の磁気回路を採用して軽量化を図った車載用スピーカである。このスピーカは、アルミニウム等の熱電導率の高い非磁性材からなる磁気回路カバー１と、ヨーク２ａ，２ｂおよびマグネット２ｃからなる磁気回路２と、ＡＢＳ樹脂等からなる樹脂フレーム３と、コーン紙あるいは合成樹脂等からなる振動板４と、円筒状のボビン５の外周面に巻装されたボイスコイル６と、振動板４の内周部を振動を許容しつつ支持するダンパ７とによって概略構成されており、図示せぬリード線を介してボイスコイル６に音声電流が通電されるようになっている。
【００１１】
磁気回路カバー１の上部に略円環状の大径部１ａが突設してあり、この大径部１ａにダンパ７の外周部が接合されている。この磁気回路カバー１は磁気回路２を収納・保持しており、磁気回路２に形成されているギャップＧ内にボイスコイル６が配置されている。樹脂フレーム３は振動板４を包囲するすり鉢形状の外観を呈し、その底部中央を磁気回路カバー１が貫通しており、樹脂フレーム３の背面に形成されている４本のリブ３ａの後端部が磁気回路カバー１と連結されている。ただし、各リブ３ａの後端部どうしの間には、磁気回路カバー１の外周面に沿って（外表面に接した状態で）４か所に開口部８が設けてあり、これらの開口部８は磁気回路カバー１と樹脂フレーム３との接合部近傍に位置している。振動板４は、その内周部がボビン５を介してボイスコイル６に連結されていると共に、外周部が変形接合部９を介して樹脂フレーム３に支持されている。また、図２に示すように、磁気回路カバー１の大径部１ａと樹脂フレーム３の内壁面との間には空気流通路１０が画成されており、この空気流通路１０を介して各開口部８と振動板４の背面側空間とが連通されている。
【００１２】
このように概略構成されたスピーカは、図示せぬリード線を介してボイスコイル６に音声電流が通電されると、電磁力によりボイスコイル６が振動するので、ボビン５を介して振動板４が駆動されて振動し、ラジオ音声やＣＤ再生音声などの拡声が行えるようになっている。また、通電時に振動板４が図２における上下方向に振動すると、その背面側空間に振動板４の背圧が作用し、空気流通路１０や開口部８を介してスピーカの内外の空気の流通が盛んに行われるので、通電時に磁気回路カバー１の外表面は常に新鮮な空気にさらされることとなる。そのため、このスピーカは、通電時にボイスコイル６で発生し磁気回路２を介して磁気回路カバー１へ伝わる熱（ジュール熱）が、開口部８を介して出入りする空気の空冷作用を受けて外部へ放出されやすくなっている。すなわち、軽量化を促進するため小型の磁気回路２を採用すると、放熱面積の減少によりスピーカ内部が高温になりやすいが、このスピーカでは振動板４の背圧を利用して空気流がよどみなく開口部８を通過するようにしてあるので、その空冷作用により磁気回路カバー１の外表面からの放熱量が増大する。
【００１３】
しかも、このスピーカは、磁気回路カバー１に大径部１ａを突設してダンパ７の外周部を接合する構成にしてあるので、この大径部１ａと樹脂フレーム３の内壁面との間が自ずと空気流通路１０になり、振動板４の背圧をダンパ７に遮蔽されることなく直接開口部８に向けて作用させやすい構造になっている。すなわち、空気流通路１０および開口部８により所謂オリフィスが形成され、開口部８からスピーカ外部へ放出される空気の流速が加速されるため、磁気回路カバー１の外表面の冷却作用が一層向上されるものとなっている。また、このような大径部１ａを設けたことにより、磁気回路カバー１の放熱面積も増大するので、このスピーカは内部の温度上昇を抑制する放熱効果が高く、それゆえ磁気回路２の小型軽量化を図りつつ高信頼性が確保されている。
【００１４】
なお、上述した実施例では、磁気回路カバー１の大径部１ａと樹脂フレーム３との間に設けた空気流通路１０を介して、振動板４の背面側空間と開口部８とを連通させているが、本発明はこれに限定されるものではない。例えば、樹脂フレーム３の内壁に突設した環状支持部にダンパ７の外周部を接合する構成の場合、この環状支持部の複数箇所に透孔を設けておけば、これらの透孔を介して振動板４の背面側空間と開口部８とを連通させることができるので、同様の放熱効果が期待できる。
【００１５】
【発明の効果】
本発明は以上説明したような形態で実施され、以下に記載されるような効果を奏する。
【００１６】
磁気回路カバーとフレームとの接合部近傍に開口部を設け、この開口部と振動板の背面側空間とを連通させる構成としたので、通電時に振動板が振動すると、その背面側空間に振動板の背圧が作用し、前記開口部を介してスピーカの内外の空気の流通が盛んに行われる。したがって、磁気回路カバーの外表面は通電時に常に新鮮な空気にさらされることになり、通電時にボイスコイルで発生し磁気回路を介して磁気回路カバーへ伝わる熱が、前記開口部を介して出入りする空気の空冷作用を受けて放出されやすくなる。そのため、小型の磁気回路を採用しても、かかる空冷作用により放熱効果を高めることができて、スピーカの軽量化促進と温度上昇抑制とを両立させることができる。
【００１７】
また、磁気回路カバーにダンパの外周部を支持する大径部を突設し、この大径部とフレームの内壁面との間を前記開口部に連通する空気流通路となせば、この開口部と振動板の背面側空間との間で極めて円滑に空気を流通させることができると共に、磁気回路カバーの大径部が放熱部位となって放熱面積が増えるので、放熱効果をより一層高めることができる。
【図面の簡単な説明】
【図１】本発明の一実施例に係るスピーカの背面図である。
【図２】図１のＡ−Ｏ−Ｂ線に沿う断面図である。
【符号の説明】
１  磁気回路カバー
１ａ  大径部
２  磁気回路
３  樹脂フレーム
３ａ  リブ
４  振動板
５  ボビン
６  ボイスコイル
７  ダンパ
８  開口部
１０  空気流通路
Ｇ  ギャップ
【図１】
0003657814.tif 000002
【図２】
0003657814.tif 000003